(57)【要約】      （修正有）【課題】立ち座りの動作が楽に行えるポータブルトイレを提供する。【解決手段】便器本体１００は、上下に組み合わされる上側部材２１０と下側部材２２０とを備え、上側部材２１０は、上面部と、側面部とを有している。下側部材２２０は、上側部材２１０の側面部に組み合わされた側面部と、底部とを有し、上側部材２１０の側面部と下側部材２２０の側面部とは、少なくとも前面および左右の側面において面が連続し、下側部材２２０は、少なくとも前面および左右の側面において上側部材２１０の側面部と面が連続する側面部と、底部とを有している。脚部５０１、５０２、６０１は、便器本体１００の中央部分の周りにおいて、前後左右に取付けられており、便器本体１００の下部から下方に延び、便器本体１００の底部を床から浮かせているポータブルトイレ１０。【選択図】図１
2015016316.tif 000002
【特許請求の範囲】
【請求項１】
便器本体と、
脚部と
を備え、
前記便器本体は、
上下に組み合わされる上側部材と下側部材とを備え、
前記上側部材は、
上面部と、側面部とを有し、
前記下側部材は、
前記上側部材の側面部に組み合わされた側面部と、底部とを有し、
前記上側部材の側面部と前記下側部材の側面部とは、少なくとも前面および左右の側面において面が連続しており、かつ、
前記脚部は、前記便器本体の中央部分の周りにおいて、前後左右に取付けられており、前記便器本体の下部から下方に延び、前記便器本体の底部を床から浮かせている、
ポータブルトイレ。
【請求項２】
前記脚部の下端に、前記上側部材と前記下側部材が組み合わされた前記便器本体の上面部に対する、前記脚部の下面の角度を可変させる機構を備え、前記便器本体の上面部の前傾状態が変えられる、請求項１に記載されたポータブルトイレ。
【発明の詳細な説明】
【技術分野】
【０００１】
本発明は、ポータブルトイレに関する。
【背景技術】
【０００２】
例えば、特許文献１には、便座の傾きの調節を行うことができるポータブルトイレ（特許文献１では、簡易便器と称する。）が開示されている。このポータブルトイレは、便器本体枠と、便器本体枠の左右両側面に取り付けられた脚枠と、を備えている。便器本体枠の側面には、回動可能に位置調節ブロックが取り付けてある。この位置調節ブロックは、横長幅狭形状であり、上下反転可能なものである。また、位置調節ブロックは、上下の第１長側縁と第２長側縁とが平行とならない形状である。脚枠は、床面に接するベース（特許文献１では、底板と称する。）と、ベースに立設されている前後一対の脚部（特許文献１では、脚柱と称する。）と、一対の脚部間に差し渡された連結部材とからなっている。
【０００３】
ここで、特許文献１では、位置調節ブロックの第１長側縁または第２長側縁を下側にして、位置調節ブロックの長側縁と脚枠の連結部材とを当接させることで、脚枠の便器本体枠に対する取付位置が決定される。第１長側縁を下側にして位置調節ブロックと連結部材とを当接させることで、便座を略水平状態にしており、第２長側縁を下側にして位置調節ブロックと連結部材とを当接させることで、便座を前倒状態としている。
【先行技術文献】
【特許文献】
【０００４】
【特許文献１】特開２０１１−２１８０３５号公報
【発明の概要】
【課題を解決するための手段】
【０００５】
ここで提案されるポータブルトイレは、便器本体と、脚部とを備えている。ここで、便器本体は、上下に組み合わされる上側部材と下側部材とを備えている。上側部材は、上面部と、側面部とを有している。下側部材は、上側部材の側面部に組み合わされた側面部と、底部とを有している。上側部材の側面部と下側部材の側面部とは、少なくとも前面および左右の側面において面が連続している。脚部は、便器本体の中央部分の周りにおいて、前後左右に取付けられており、便器本体の下部から下方に延び、便器本体の底部を床から浮かせている。
【０００６】
また、脚部の下端に、上側部材と下側部材が組み合わされた便器本体の上面部に対する、脚部の下面の角度を可変させる機構を備えていてもよい。この場合、便器本体の上面部の前傾状態は変えられる。
【０００７】
また、特許文献１に開示されたポータブルトイレでは、便器本体枠、位置調節ブロックおよび脚枠は、木製である。そのため、便座に荷重が掛かったとしても便器本体枠、位置調節ブロックおよび脚枠は、その荷重に耐えることができた。しかしながら、特許文献１の便座の傾き調節の構造を樹脂製のポータブルトイレで再現しようとすると、木製のポータブルトイレよりは剛性が低いため、位置調節ブロックまたは脚枠が便座に掛かる荷重に耐え切れないおそれがあった。
【０００８】
かかる観点において、ここで提案されるポータブルトイレは、便器本体と、便器本体の下部において右側および左側にそれぞれ設けられた脚と、を備えている。便器本体と脚とは、樹脂成形品である。脚は、便器本体の前後にそれぞれ配置された少なくとも一対の脚部と、一対の脚部の下端部を繋ぐように前後方向に延びたベースと、を備えている。ベースは、上下に組み付けられる複数の部材を備えている。複数の部材には、一方の部材に対して他方の部材が上下に反転可能に組み付けられることが可能な第１部材と第２部材とが少なくとも含まれている。第１部材と第２部材とが上下に組み付けられた第１の状態と、第１の状態に対して、第１部材と第２部材とのうち、一方の部材に対して他方の部材を上下に反転させて組み付けられた第２の状態とで、ベースによって支持された一対の脚部の下端部の高さが、相対的に変更できる。
【０００９】
このことによって、第１部材と第２部材とのうち一方の部材に対して他方の部材を上下反転させることで、ベースによって支持された一対の脚部の下端部の高さを相対的に変更できる。よって、樹脂製のポータブルトイレであっても、ポータブルトイレを使用する使用者の好みに応じて、便器本体を前傾または後傾させることができる。
【００１０】
例えば、第１部材と第２部材とのうち、一方の部材が他方の部材に組み付けられる面には、組み付けられる方向に突出したリブが設けられていてもよい。他方の部材は、第１の状態において、一方の部材に設けられたリブが嵌まる凹部と、第２の状態において、一方の部材に設けられたリブの突出端面が当接可能な当接面と、を備えていてもよい。第１の状態における一対の脚部の下端部の相対的な高さの差は、第２の状態よりも小さくなっていてもよい。
【００１１】
例えば、リブは、格子状に延びていてもよい。また、リブは、第１部材と第２部材とを組み付けた状態において、前記ベースの前後方向と左右方向とにそれぞれ延びていてもよい。
【００１２】
例えば、第１部材と第２部材とは、一対の脚部に対して前後方向に延びた板状体であってもよい。第１部材と第２部材とのうち少なくとも一方は、前から後へ向かうにつれて厚くなっていてもよい。
【００１３】
例えば、上下に組み付けられた複数の部材を固定するロック機構を備えていてもよい。
【００１４】
例えば、複数の部材は、上側部材と、上側部材の下に組み付けられる下側部材と、上側部材と下側部材との間において、上側部材と下側部材とに上下に組み付けられる中間部材と、を備えていてもよい。そして、中間部材は、上側部材と下側部材とに対して上下に反転可能に組み付けることができ、上側部材または下側部材を第１部材とした場合に、第２部材として機能していてもよい。
【００１５】
例えば、上側部材と下側部材と中間部材とを、上下に組み付けられた状態で固定するロック機構を備えていてもよい。
【００１６】
例えば、上側部材と下側部材と中間部材には、それぞれ挿通孔が形成されていてもよい。脚は、挿通孔に挿通される挿通軸を備えていてもよい。挿通軸は、上側部材と下側部材と中間部材とを上下に組み付け、かつ、挿通孔に貫通された状態で、上側部材と下側部材とに係合していてもよい。
【００１７】
例えば、挿通軸は、一端に設けられたつまみと、他端に設けられ、挿通軸から径方向に延びた片と、を備えていてもよい。挿通孔は、片が形成された位置における挿通軸の外縁に沿った形状であってもよい。挿通軸は、挿通孔に挿通されてつまみが下側部材に当接した状態で回転して、片が上側部材に当接することで、上側部材と下側部材とに係合していてもよい。
【００１８】
例えば、中間部材が下側部材に対してずれることを防止する、ずれ防止機構を備えていてもよい。また、ずれ防止機構は、下側部材から上方に延びた、ずれ防止軸と、中間部材に形成され、ずれ防止軸が挿通される、ずれ防止孔と、を備えていてもよい。
【００１９】
例えば、複数の部材は、上側部材と、上側部材の下に組み付けられる下側部材と、を備えていてもよい。下側部材は、上側部材に対して上下に反転可能に組み付けることができ、上側部材を第１部材とした場合に、第２部材として機能していてもよい。
【００２０】
例えば、ベースは、一対の脚部のうち前側の脚部よりも前方に延びていてもよい。
【図面の簡単な説明】
【００２１】
【図１】ポータブルトイレの斜視図である。
【図２】ポータブルトイレの斜視図である。
【図３】ポータブルトイレの斜視図である。
【図４】ポータブルトイレの斜視図である。
【図５】便器本体の平面図である。
【図６】下側部材の平面図である。
【図７】左側の肘掛を示す斜視図である。
【図８】ポータブルトイレの左側を示す側面図である。
【図９】左側の脚の分解斜視図である。
【図１０】左側の脚を前後方向に縦断した断面図である。
【図１１】上側部材の底面図である。
【図１２】中間部材の第１の面を示す図である。
【図１３】中間部材の第２の面を示す図である。
【図１４】中間部材を反転して組み付けた状態における、左側の脚を前後方向に縦断した断面図である。
【図１５】第２実施形態の第１の状態における左側の脚を縦断した断面図である。
【図１６】第２実施形態の第２の状態における左側の脚を縦断した断面図である。
【発明を実施するための形態】
【００２２】
＜第１実施形態＞
以下、本発明の一実施形態に係るポータブルトイレを図面に基づいて説明する。以下の説明において、前、後、左および右は、それぞれ便座に腰掛けた使用者から見た方向を意味しており、図面には、それぞれ符号Ｆ、Ｂｋ、Ｌ、Ｒが付されている。また、各図において同じ作用を奏する部材や部位には、同じ符号を付し、適宜に重複する説明を省略している。ここでは、まず、ポータブルトイレ１０の概要を説明し、その後、ここで提案される脚５００、６００について説明する。
【００２３】
《ポータブルトイレ１０》
図１から図４はそれぞれポータブルトイレ１０の斜視図である。ここで、図１は、蓋２０を上げた状態（蓋２０が開いた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示している。さらに、図４は、図３の状態からトレイ５０（受け板）を取り出した状態を示している。
【００２４】
本実施形態に係るポータブルトイレ１０は、主に高齢者および身障者等のいわゆる要介護者に使用されるものであり、介護用に好適に使用されるトイレである。また、ポータブルトイレ１０は、床に固定されるトイレではなく、移動可能なトイレである。本実施形態では、ポータブルトイレ１０は、樹脂製（樹脂成形品）である。ポータブルトイレ１０は、図１から図４に示すように蓋２０と、便座３０と、バケツ４０と、トレイ５０と、便器本体１００と、背もたれ２５０と、肘掛３００、４００と、脚５００、６００と、脱臭装置７５０（図５参照）と、を備えている。ここでは、ポータブルトイレ１０は、樹脂製（樹脂成形品）である。ここでは、ポータブルトイレ１０の主な構造部材、例えば、便器本体１００や脚５００、６００などは樹脂成形品である。
【００２５】
《蓋２０》
蓋２０は、ポータブルトイレ１０の便座３０に被せられる部材である。本実施形態では、蓋２０は、図１に示すように、矩形の部材であり、後ろ側の縁にヒンジ２１が取り付けられている。蓋２０は、ヒンジ２１を軸にして回動し、背もたれ２５０の前で便座３０の上に配置された姿勢（蓋を閉じた姿勢（図示省略））から上方に引き上げられる。本実施形態では、蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図示省略）と、背もたれ２５０の後ろに引き上げた姿勢（図１に示す状態）とで適宜に変えられる。なお、この蓋２０は、人が座れるように所要の強度を持たせ、かつ、上部にクッションを備えていてもよい。この場合、ポータブルトイレ１０は、便器として使用しない場合には便座３０に蓋２０を被せるとよい。これにより、臭いが拡散するのを防止でき、また、適宜に腰掛けとして利用できるようになる。
【００２６】
《便座３０》
便座３０は、図１に示すように、便器本体１００の上面の中央部分に配置されている。本実施形態では、便座３０は、後部の縁に設けられたヒンジ３１を介して便器本体１００に取り付けられている。そして、便座３０の姿勢は、図１に示すように、便器本体１００の上面に配置された姿勢と、図２に示すように、便器本体１００の上面から引き上げられた姿勢とで適宜に変えられる。本実施形態では、便座３０は、使用者がお尻を受ける座面を有する。便座３０の中央には開口３２が形成されている。
【００２７】
《バケツ４０》
バケツ４０は、使用者の排便を収容するバケツであり、「汚物受け」と称されうる。本実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。蓋４２は、使用者が排便をするとき、バケツ４０から外されるものである。ポータブルトイレ１０を便器として使用しない場合には、バケツ４０に蓋４２を被せるとよい。これにより、臭いが拡散するのを防止できる。
【００２８】
《トレイ５０》
本実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。また、トレイ５０には、便座３０のヒンジ３１を取り付ける基部が設けられている。
【００２９】
《便器本体１００》
次に、便器本体１００を説明する。ここで、図５は、便器本体１００の平面図である。便器本体１００は、図４および図５に示すように、収容部１０１と、上面部１０２と、外郭部１０３と、底部１０４とを有している。収容部１０１は、バケツ４０が収められる窪んだ部位である。本実施形態では、図５に示すように、便器本体１００の後部には、脱臭装置７５０を取り付ける脱臭装置取付部２１５が設けられている。収容部１０１の後部には、脱臭装置７５０へ臭気を導く脱臭ダクト７００が取り付けられる。また、本実施形態では、収容部１０１の後部には、脱臭ダクト７００からの排水を受ける受け部２１６および受け部２１６で受けた排水を収容部１０１へ導く溝状の排出路２１６ａが設けられている。
【００３０】
上面部１０２は、図３および図４に示すように、収容部１０１の上部周辺に設けられている。上面部１０２の上には、図１に示すように、便座３０が配置される。なお、本実施形態では、図２に示すように、上面部１０２の上には、トレイ５０が配置され、図１に示すように、その上に便座３０が配置されている。上面部１０２には、図５に示すように、肘掛取付部２１１、２１２と、背もたれ取付部２１３、２１４とが設けられている。肘掛取付部２１１、２１２と、背もたれ取付部２１３、２１４とについては、後で述べる。
【００３１】
外郭部１０３は、収容部１０１の少なくとも外側面を囲う部位である。底部１０４は、外郭部１０３の下端から連続し、便器本体１００の底を形成する部位である。ポータブルトイレ１０は、図３に示すように、便器本体１００の少なくとも前面において、上面部１０２の周縁を形成する面１１２（本実施形態では、上面部１０２の周縁の周側面）と、外郭部１０３を形成する面１１３（本実施形態では、外郭部１０３の側面）とが連続している。さらに、外郭部１０３を形成する面１１３と、底部１０４を形成する面１１４とが連続している。そして、ポータブルトイレ１０の脚５００、６００は、図１に示すように、便器本体１００の底部１０４の左右にそれぞれ独立して取り付けられている。
【００３２】
なお、ここで、面が連続しているとは、外観上、面が一連に連なっていることをいう。例えば、ここでは、便器本体１００の少なくとも前面において、ポータブルトイレ１０の外郭部１０３を構成する上面部１０２の周縁を形成する面１１２と、外郭部１０３を形成する面１１３とは、一連に連なっている。また、本実施形態では、便器本体１００は、後述するように上側部材２１０と下側部材２２０とで構成されている。ここで、上側部材２１０と下側部材２２０とは、外側面が一連に連なるように組み合わされている。かかる箇所では、「面が連続している」とする。また、意匠上の多少の凹凸や段差などは、問題としない。
【００３３】
《上側部材２１０と下側部材２２０》
本実施形態では、便器本体１００は、図１に示すように、上側部材２１０と下側部材２２０とで構成されており、上側部材２１０と下側部材２２０とを上下に組み付けた構造を備えている。上側部材２１０の周縁は全周にわたって下方に屈曲している。上側部材２１０には、図５に示すように、バケツ４０が収容される収容部１０１と、上面部１０２とが含まれている。また、上側部材２１０の周縁には、上側部材２１０と下側部材２２０とを組み付けるための複数のねじ穴２１０ｃが形成されている。
【００３４】
図６は、下側部材２２０の平面図である。本実施形態では、下側部材２２０は、全体として有底の略矩形の箱形状である。下側部材２２０は、一体的な成形品である。下側部材２２０には、図１に示すように、外郭部１０３と、底部１０４とが含まれている。底部１０４には、上側部材２１０の収容部１０１の底（図示せず）に対向する部位に開口（図示せず）が形成されている。また、便器本体１００の底部１０４には、脚５００、６００の脚部５０１、５０２、６０１、６０２の上端が装着されるボス１２１〜１２４が設けられている。本実施形態では、ボス１２１〜１２４は、下側部材２２０の底部１０４の前後左右の隅部に設けられている。ボス１２１〜１２４は、略円筒形状である。ボス１２１〜１２４の周囲にはリブ１２１ａ〜１２４ａが放射状に設けられおり、所要の強度が確保されている。また、下側部材２２０の周縁には、上側部材２１０に形成されたねじ穴２１０ｃに対応する位置にねじ穴２２０ｃが形成されている。本実施形態では、上側部材２１０の下縁と下側部材２２０の上縁とを互いに内外に嵌め合うことで、上側部材２１０と下側部材２２０とを取り付けている。
【００３５】
次に、便器本体１００の肘掛取付部２１１、２１２に取り付けられる肘掛３００、４００を説明し、その後、肘掛取付部２１１、２１２を説明する。
【００３６】
《肘掛け３００、４００》
図７は、左側の肘掛３００を示す斜視図である。肘掛３００、４００は、凡そ同様の構造を有している。以下の説明において、括弧内の符号は、右側の肘掛４００の符号を示している。ここでは、左側の肘掛３００には３００番台の符号を付し、右側の肘掛４００の各部位には、左側の肘掛３００の各部位に対応させて４００番台の符号を付している。
【００３７】
肘掛３００（４００）は、図７に示すように、肘掛ベース３０１（４０１）と、肘掛本体３０２（４０２）と、を備えている。
【００３８】
《肘掛ベース３０１（４０１）》
肘掛ベース３０１（４０１）は、基部３１１（４１１）と、２本の中空の支柱３１２、３１３（４１２、４１３）と、中空軸３１４（４１４）とを備えている。基部３１１（４１１）は、便器本体１００の肘掛取付部２１１（２１２）の前後方向に沿って配置される長手のプレートである。２本の支柱３１２、３１３（４１２、４１３）は、基部３１１（４１１）の前後両端部に配置されている。基部３１１（４１１）は、２本の支柱３１２、３１３（４１２、４１３）の中間部の下端よりの位置に架け渡されている。
【００３９】
基部３１１（４１１）には、係合突起３２１（４２１）と、差込穴３２２（４２２）とがある。係合突起３２１（４２１）は、基部３１１（４１１）の下面から、基部３１１（４１１）の長手方向に沿って下方に突出した突起である。差込穴３２２（４２２）は、基部３１１（４１１）の中間部前よりに形成されており、肘掛３００（４００）を上側部材２１０に固定する固定ピン３５０（４５０）（図１参照）を挿し込む貫通した穴である。また、後側の支柱３１３（４１３）の外周面には、上下に連続して後方に突出した係合片３２３（４２３）が設けられている。肘掛ベース３０１（４０１）の中空軸３１４（４１４）は、基部３１１（４１１）よりも高い位置において、前後一対の支柱３１２、３１３（４１２、４１３）に架設されている。図１に示す例では、右側の肘掛ベース４０１の前側の支柱４１２に、トイレットペーパーホルダ６０が取り付けられている。
【００４０】
《肘掛本体３０２（４０２）》
肘掛本体３０２（４０２）は、図１および図７に示すように、肘掛部３４１（４４１）と、可動軸３４２、３４３（４４２、４４３）とを備えている。肘掛部３４１（４４１）は、ポータブルトイレ１０の使用者が肘を掛ける部位である。本実施形態では、肘掛部３４１（４４１）は、長手の形状を有しており、ポータブルトイレ１０の左右において前後方向に延びた状態で設けられる。可動軸３４２、３４３（４４２、４４３）は、肘掛部３４１（４４１）の下部の前後に離れた位置において下方に延びている。肘掛本体３０２（４０２）の２本の可動軸３４２、３４３（４４２、４４３）は、肘掛ベース３０１（４０１）の２本の中空の支柱３１２、３１３（４１２、４１３）に挿入されている。
【００４１】
なお、本実施形態では、肘掛３００（４００）は、高さ調節機構３０３（４０３）によって、高さを調節することができる。高さ調節機構３０３（４０３）は、中空軸３１４（４１４）に内装されている。ここでは、かかる高さ調節機構３０３（４０３）によって、肘掛ベース３０１（４０１）の２本の支柱３１２、３１３（４１２、４１３）に対し、肘掛本体３０２（４０２）の可動軸３４２、３４３（４４２、４４３）が挿入された長さが変化する。これによって、便器本体１００に対する肘掛部３４１（４４１）の高さが調整される。
【００４２】
《肘掛取付部２１１、２１２》
上側部材２１０には、かかる肘掛３００、４００が取り付けられる肘掛取付部２１１、２１２が設けられている。肘掛取付部２１１、２１２は、上側部材２１０の上面部１０２の左右において、それぞれ肘掛３００、４００を取り付ける位置に設けられている。肘掛取付部２１１、２１２は、それぞれ左右の肘掛３００、４００の下部に対応した形状を有している。
【００４３】
肘掛取付部２１１、２１２は、図５に示すように、それぞれ肘掛３００、４００の基部３１１、４１１が嵌る前後に延びた長手の窪み２２１、２２２を有している。当該窪み２２１、２２２には、縦穴２２３、２２４、２２５、２２６と、係合溝２２７、２２８と、鍵穴２３１、２３２が形成されている。上側部材２１０の裏面には、特に肘掛取付部２１１、２１２の裏面にリブが多く配置されている。かかるリブによって肘掛３００、４００のぐらつきが小さく抑えられるとともに所要の耐荷重を確保することができる。
【００４４】
ここで、左側の窪み２２１には、左側の肘掛３００の基部３１１（図７参照）が嵌る。また、左側の窪み２２１に形成された縦穴２２３、２２５には、基部３１１から下方に突出した支柱３１２、３１３（図７参照）の下側部３１２ａ、３１３ａがそれぞれ嵌る。左側の窪み２２１に形成された係合溝２２７には、左側の肘掛３００の基部３１１の下面から下方に突出した係合突起３２１（図７参照）が嵌る。さらに、左側の窪み２２１に形成された鍵穴２３１は、左側の肘掛３００の基部３１１に形成された差込穴３２２に対応する位置に形成されている。当該左側の肘掛３００は、支柱３１２、３１３（図７参照）の下側部３１２ａ、３１３ａを、便器本体１００の肘掛取付部２１１の縦穴２２３、２２５に挿入し、基部３１１を窪み２２１に嵌める。そして、差込穴３２２および鍵穴２３１に固定ピン３５０（図１参照）を装着する。これによって、左側の肘掛３００を便器本体１００に固定することができる。
【００４５】
また、右側の窪み２２２には、右側の肘掛４００の基部４１１が嵌る。また、右側の窪み２２２に形成された縦穴２２４、２２６には、基部４１１から下方に突出した支柱４１２、４１３（図７参照）の下側部４１２ａ、４１３ａがそれぞれ嵌る。右側の窪み２２２に形成された係合溝２２８には、右側の肘掛４００の基部４１１の下面から下方に突出した係合突起４２１（図７参照）が嵌る。さらに、右側の窪み２２２に形成された鍵穴２３２は、右側の肘掛４００の基部４１１に形成された差込穴４２２に対応する位置に形成されている。そして、当該右側の窪み２２２に右側の肘掛４００の基部４１１を嵌めて、差込穴４２２および鍵穴２３２に固定ピン４５０（図１参照）を装着することによって、右側の肘掛４００を便器本体１００に固定することができる。
【００４６】
本実施形態では、左右の肘掛３００、４００は、使用者や介護者のニーズに応じて適宜に取り外すことができる。また、ポータブルトイレ１０は、便器本体１００から肘掛３００、４００を取り外した際に、便器本体１００の肘掛取付部２１１、２１２に被せることができるカバーを付属しているとよい。かかるカバーは、肘掛取付部２１１、２１２に取り付けられた際に、便器本体１００の上面を平坦にする形状であるとよい。
【００４７】
また、肘掛ベース３０１（４０１）の後側の支柱３１３（４１３）の外周面に、上下に連続して後方に突出した係合片３２３（４２３）は、背もたれ２５０に形成された係合溝２５６、２５７（図１〜図４参照）にそれぞれ係合している。
【００４８】
《背もたれ２５０》
次に、ポータブルトイレ１０の背もたれ２５０を説明する。便器本体１０の背もたれ取付部２１３、２１４は、図５に示すように、便器本体１００の上面において、後部の左右両側にそれぞれ設けられている。背もたれ２５０は、図１に示すように、便器本体１００の後部に設けられている。背もたれ２５０は、便器本体１００の上面において、蓋２０を折り曲げた状態で後方に通すことができる開口２５１を有している。この背もたれ２５０は、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上がっている。背もたれ部２５４は、柱部２５２、２５３の上端に架け渡されている。クッション２５５は、背もたれ部２５４の前面に取り付けられている。
【００４９】
《脚５００、６００》
次に、脚５００、６００について説明する。本実施形態では、左側の脚５００と右側の脚６００とは凡そ同様な構成をしている。ここでは、左側の脚５００には、５００番台の符号を付し、右側の脚６００には、左側の脚５００の各部材および部位に対応させて６００番台の符号を付している。以下において、左側の脚５００について詳細に説明し、対応する右側の脚６００の説明は左側の脚５００の説明を参照することとし、重複した説明は適宜省略する。なお、括弧内の符号は、右側の脚６００に対応した符号である。
【００５０】
図８は、ポータブルトイレ１０の左側を示す側面図である。図９は、左側の脚５００の分解斜視図である。図１０は、左側の脚５００を前後方向に縦断した断面図である。脚５００、６００は、図１に示すように、便器本体１００の下部において右側および左側にそれぞれ設けられている。脚５００（６００）は、図８から図１０に示すように、前後一対の脚部５０１、５０２（６０１、６０２）と、ベース５０３（６０３）と、を備えている。一対の脚部５０１、５０２、６０１、６０２は、便器本体１００の前後にそれぞれ配置されている。ベース５０３（６０３）は、一対の脚部５０１、５０２（６０１、６０２）の下端部を繋ぐように連続している。
【００５１】
《一対の脚部５０１、５０２（６０１、６０２）》
本実施形態では、一対の脚部５０１、５０２（６０１、６０２）は、図９に示すように、それぞれ円筒形状である。脚部５０１、５０２（６０１、６０２）は、上述した便器本体１００の底部１０４に設けられたボス１２１〜１２４（図６参照）に取り付けられる。具体的には、脚部５０１、５０２（６０１、６０２）の上部は、便器本体１００の底部１０４に設けられたボス１２１〜１２４に挿通され、適当な位置でボス部に固定されている。ここでは、図８に示された略リング状の連結部材５０１ａ、５０２ａ（６０１ａ、６０２ａ）によって、脚部５０１、５０２（６０１、６０２）が、ボス１２１、１２３（１２２、１２４）に固定されている。また、ボス１２１〜１２４および脚部５０１、５０２、６０１、６０２は、ボス１２１〜１２４に脚部５０１、５０２、６０１、６０２を固定する位置を調節する構造を備えている。かかる構造によって、ボス１２１，１２３（１２２、１２４）から延びる脚部５０１、５０２（６０１、６０２）の長さが調節される。ボス１２１，１２３（１２２、１２４）から延びる脚部５０１、５０２（６０１、６０２）の長さを調節することによって、ポータブルトイレ１０は便座３０の高さを調節することができる。
【００５２】
なお、本実施形態では、図８に示すように、一対の脚部５０１、５０２（６０１、６０２）のうち、前側の脚部５０１（６０１）は、肘掛３００（４００）の肘掛部３４１（４４１）の前端よりも後方に配置されている。言い換えると、肘掛３００（４００）の肘掛部３４１（４４１）の前端は、前側の脚部５０１（６０１）よりも前方に配置されている。
【００５３】
《ベース５０３（６０３）》
ベース５０３（６０３）は、脚部５０１、５０２（６０１、６０２）を支持するものである。本実施形態では、ベース５０３（６０３）は、図８に示すように、脚部５０１、５０２（６０１、６０２）の下端部を繋ぐように前後方向に延びている。ベース５０３（６０３）は、一対の脚部５０１、５０２（６０１、６０２）のうち、前側の脚部５０１（６０１）よりも前方に延びている。ベース５０３（６０３）の前端は、肘掛３００（４００）の肘掛部３４１（４４１）の前端よりも前方に配置されている。また、ベース５０３（６０３）は、後側の脚部５０２（６０２）よりも後方に延びている。以下の説明において、ベース５０３（６０３）のうち、前側の脚部５０１（６０１）よりも前方に延びた部位をフロントベース部５１１（６１１）、後側の脚部５０２（６０２）よりも後方に延びた部位をリヤベース部５１２（６１２）、脚部５０１、５０２（６０１、６０２）を繋ぐ部位を連結ベース部５１３（６１３）とそれぞれ称する。
【００５４】
ここでは、ベース５０３（６０３）のフロントベース部５１１（６１１）は、図９に示すように、平面視において、先端に向かうにつれて徐々に細くなっている。ベース５０３（６０３）のリヤベース部５１２（６１２）および連結ベース部５１３（６１３）は、平面視において、幅方向の長さが略同じである。また、ベース５０３（６０３）は、先端から後端に向かうに連れて徐々に厚く（高く）なっている。
【００５５】
ベース５０３（６０３）は、上下に組み付けられる複数の部材を備えている。この複数の部材には、一方の部材に対して他方の部材が上下反転可能に組み付けられることが可能な第１部材５２２（６２２）と第２部材５２３（６２３）とが少なくとも含まれている。そして、第１部材５２２（６２２）と第２部材５２３（６２３）とが上下に組み付けられた第１の状態と、当該第１の状態に対して、第１部材５２２（６２２）と第２部材５２３（６２３）とのうち、一方の部材に対して他方の部材を上下に反転させて組み付けられた第２の状態とで、ベース５０３（６０３）によって支持された一対の脚部５０１、５０２（６０１、６０２）の下端部の高さが、相対的に変更できる。
【００５６】
本実施形態では、ベース５０３（６０３）は、上側部材５２１（６２１）と、第１部材の一例である下側部材５２２（６２２）と、第２部材の一例である中間部材５２３（６２３）と、滑り止め板５２４、５２５（６２４、６２５）と、ベース固定ピン５２６（６２６）とを備えている。なお、上側部材５２１（６２１）は、便器本体１００の上側部材２１０と区別するために、ベース上側部材５２１（６２１）と称され得る。同様に、下側部材５２２（６２２）は、便器本体１００の下側部材２２０と区別するため、ベース下側部材５２２（６２２）と称され得る。ここでは、ベース５０３（６０３）は、上側部材５２１（６２１）と、下側部材５２２（６２２）と、中間部材５２３（６２３）とを組み付けることで所要の剛性が確保されている。
【００５７】
《上側部材５２１（６２１）（ベース上側部材）》
本実施形態では、上側部材５２１（６２１）は、ベース５０３（６０３）の上側の外郭を形成しており、上側に膨らみを有するものである。換言すると、上側部材５２１（６２１）は、ベース５０３（６０３）の上側を構成する半割型の形状である。本実施形態では、上側部材５２１（６２１）は、一対の脚部５０１、５０２（６０１、６０２）の下端部に設けられ、脚部５０１、５０２（６０１、６０２）から連続している。ここでは、上側部材５２１（６２１）と一対の脚部５０１、５０２（６０１、６０２）とが一体的に成形されている。
【００５８】
図１１は、左側の上側部材５２１の底面図である。図１１に示すように、上側部材５２１（６２１）の内面には、複数のリブ５３２（６３２）が形成されている。複数のリブ５３２（６３２）は、上側部材５２１（６２１）の内面から下方に向かって延びている。リブ５３２（６３２）は、上側部材５２１（６２１）の左右方向および前後方向に沿った格子状に設けられている。換言すれば、リブ５３２（６３２）は、上側部材５２１（６２１）の長手方向および幅方向に沿った格子状に設けられている。このように、上側部材５２１（６２１）にリブ５３２（６３２）が設けられていることによって、上側部材５２１（６２１）は撓みにくくなっている。
【００５９】
本実施形態では、上側部材５２１（６２１）には、固定板５３３（６３３）と、挿通孔５３４（６３４）と、折り返し部５３５（６３５）とがある。固定板５３３（６３３）は、図１０に示すように、上側部材５２１（６２１）に連続した後側の脚部５０２（６０２）の下部に設けられている。この固定板５３３（６３３）は、後側の脚部５０２（６０２）の内周面に脚部５０２（６０２）の径方向に沿って延びている。挿通孔５３４（６３４）は、図１１に示すように、かかる固定板５３３（６３３）に形成されている。挿通孔５３４（６３４）は、ベース固定ピン５２６（６２６）が挿通される孔である。当該挿通孔５３４（６３４）は、挿入されるベース固定ピン５２６（６２６）の挿入部の軸方向の投影形状に対応した形状である。ここでは、挿通孔５３４（６３４）は、上側部材５２１（６２１）の前後方向に延びた略長方形状である。挿通孔５３４（６３４）の長手方向の中央部分は、ベース固定ピン５２１（６２１）の軸が挿入されるため、若干外側に広がっている。
【００６０】
また、折り返し部５３５（６３５）は、上側部材５２１（６２１）の先端部が下側部材５２２（６２２）の先端部に対してずれるのを防止するための部位である。ここで、折り返し部５３５（６３５）は、上側部材５２１（６２１）の先端部に設けられている。本実施形態では、折り返し部５３５（６３５）は、上側部材５２１（６２１）の先端部の内側面において後方に突出した突出片である。
【００６１】
《下側部材５２２（６２２）（ベース下側部材）》
下側部材５２２（６２２）は、図９に示すように、ベース５０３（６０３）の底となる部材である。ここでは、下側部材５２２（６２２）は、上側部材５２１（６２１）の下に組み付けられる。下側部材５２２（６２２）は、一対の脚部５０１、５０２（６０１、６０２）に対して前後方向に延びた板状体である。下側部材５２２（６２２）は、前から後へ向かうにつれて高くなっている。
【００６２】
本実施形態では、下側部材５２２（６２２）は、上側部材５２１（６２１）の下面に嵌り得る部材である。下側部材５２２（６２２）のうち、先端部を除く外縁には、当該外縁に沿って上方に立ち上がった壁５４１（６４１）が設けられている。この壁５４１（６４１）は、下側部材５２２（６２２）の先端から後端に向かうに連れて上下方向に長くなっている。
【００６３】
本実施形態では、下側部材５２２（６２２）には、挿通孔５４２（６４２）と、ずれ防止軸５４３（６４３）と、リブ５４４（６４４）と、係止部５４５（６４５）と、突起５４９（６４９）とがある。挿通孔５４２（６４２）は、ベース固定ピン５２６（６２６）が挿通される孔である。ここでは、挿通孔５４２（６４２）は、下側部材５２２（６２２）の中央部分の後よりに形成されている。挿通孔５４２（６４２）は、上側部材５２１（６２１）と下側部材５２２（６２２）とを上下に組み付ける状態において、下側部材５２２（６２２）における上側部材５２１（６２１）の挿通孔５３４（６３４）に対応した位置に形成されている。詳しくは、図９に示すように、下側部材５２２（６２２）の中央部分の後よりの部位は、上方に盛り上がっている。かかる盛り上がった部位の上部は、平坦になっている。挿通孔５４２（６４２）は、当該盛り上がった部位の平坦な上部に形成されている。ここで、挿通孔５４２（６４２）は、上側部材５２１（６２１）の挿通孔５３４（６３４）と略同じ形状をしており、ベース固定ピン５２６（６２６）の挿入部の軸方向の投影形状に対応した形状である。つまり、挿通孔５４２（６４２）は、下側部材５２２（６２２）の前後方向に延びた略長方形状であり、挿通孔５４２（６４２）の長手方向の中央部分は若干外側に広がっている。
【００６４】
ずれ防止軸５４３（６４３）は、中間部材５２３（６２３）が下側部材５２２（６２２）に対してずれることを防止するための部位である。このずれ防止軸５４３（６４３）は、下側部材５２２（６２２）の中央部分の前よりに設けられている。このずれ防止軸５４３（６４３）は、下側部材５２２（６２２）の上面から上方に立ち上がっている。ずれ防止軸５４３（６４３）は、略円筒形状である。
【００６５】
リブ５４４（６４４）は、下側部材５２２（６２２）が中間部材５２３（６２３）に組み付けられる面において、当該組み付けられる方向に突出している。ここでは、リブ５４４（６４４）は、下側部材５２２（６２２）の上面から上方に延びている。また、リブ５４４（６４４）は、当該組み付けられた状態において、ベース５０３（６０３）の前後方向と左右方向とにそれぞれ延びている。リブ５４４（６４４）は、格子状に延びている。換言すると、リブ５４４（６４４）は、ベース５０３（６０３）または下側部材５２２（６２２）の長手方向および幅方向に沿った格子状となっている。このリブ５４４（６４４）は、下側部材５２２（６２２）の先端から後端に向かうにつれて高くなっている。
【００６６】
突起５４９（６４９）は、上側部材５２１（６２１）の先端部が下側部材５２２（６２２）の先端部に対してずれるのを防止するための部位である。ここで、上側部材５２１（６２１）の先端部に設けられた折り返し部５３５（６３５）は、上側部材５２１（６２１）の先端部の内側面において後方に突出した突出片である。これに対して、下側部材５２２（６２２）の先端部に前方に突出した突起５４９（６４９）が設けられている。
【００６７】
また、本実施形態では、下側部材５２２（６２２）の後端には、キャスター５４６（６４６）が取り付けられている。また、下側部材５２２（６２２）の裏面において、先端部および後端部には、それぞれ滑り止め板５２４、５２５（６２４、６２５）が取り付けられる滑り止め板取付部５４７、５４８（６４７、６４８）が設けられている。
【００６８】
《滑り止め板５２４、５２５（６２４、６２５）》
滑り止め板５２４、５２５（６２４、６２５）は、図９に示すように、脚５００（６００）が地面に対して滑ることを防止する部材である。滑り止め板５２４、５２５（６２４、６２５）は、下側部材５２２（６２２）の裏面の前後に設けられる。前側の滑り止め板５２４（６２４）は、下側部材５２２（６２２）の滑り止め取付部５４７（６４７）に取り付けられる。後側の滑り止め板５２５（６２５）は、下側部材５２２（６２２）の滑り止め取付部５４８（６４８）に取り付けられる。本実施形態では、滑り止め板５２４、５２５（６２４、６２５）は、ゴム製である。ただし、脚５００（６００）が地面に対して滑ることを防止するものであれば、滑り止め板５２４、５２５（６２４、６２５）の材料は特に限定されない。また、滑り止め板５２４、５２５（６２４、６２５）は、下側部材５２２（６２２）と一体ものであってもよく、下側部材５２２（６２２）の下面の全体にわたっているものであってもよい。なお、この滑り止め板５２４、５２５（６２４、６２５）は、省略することが可能である。
【００６９】
《中間部材５２３（６２３）》
次に、中間部材５２３（６２３）について説明する。中間部材５２３（６２３）は、一対の脚部５０１、５０２（６０１、６０２）に対して前後方向に延びた板状体である。中間部材５２３（６２３）は、上側部材５２１（６２１）と下側部材５２２（６２２）との間において、上側部材５２１（６２１）と下側部材５２２（６２２）とに上下に組み付けられる。この中間部材５２３（６２３）は、下側部材５２２（６２２）に対して上下に反転可能に組み付けることができる。つまり、中間部材５２３（６２３）は、上下反転した何れの状態においても、上側部材５２１（６２１）と下側部材５２２（６２２）との間に組み込むことができる。
【００７０】
本実施形態では、中間部材５２３（６２３）は、フロントベース部５１１（６１１）からリヤベース部５１２（６１２）まで延びた部材である。この中間部材５２３（６２３）は、前から後へ向かうに連れて厚くなっている。
【００７１】
以下の説明において、中間部材５２３（６２３）の上下の面のうち、一方の面を第１の面５５１（６５１）と称し、他方の面を第２の面５５２（６５２）と称する。また、ここでは、中間部材５２３（６２３）の第１の面５５１（６５１）を下にして中間部材５２３（６２３）を下側部材５２２（６２２）の上に設けている状態を第１の状態とする。また、第１の状態に対して中間部材５２３（６２３）を上下に反転させて、中間部材５２３（６２３）の第２の面５５２（６５２）を下にして、中間部材５２３（６２３）を下側部材５２２（６２２）の上に設けている状態を第２の状態とする。なお、ここで、図１０は、第１の状態において、中間部材５２３の第１の面５５１を下にして、上側部材５２１と下側部材５２２と中間部材５２３とを組み付けた状態を示している。
【００７２】
図１２は、中間部材５２３（６２３）の第１の面５５１（６５１）を示す図である。図１３は、中間部材５２３（６２３）の第２の面５５２（６５２）を示す図である。本実施形態では、図１２および図１３に示すように、中間部材５２３（６２３）は、凹部５５５（６５５）と、当接面５５６（６５６）と、を備えている。
【００７３】
本実施形態では、図１２に示すように、凹部５５５（６５５）は、中間部材５２３（６２３）の第１の面５５１（６５１）側に設けられている。凹部５５５（６５５）は、第１の状態において、下側部材５２２（６２２）のリブ５４４（６４４）が嵌る部位である。本実施形態では、下側部材５２２（６２２）のリブ５４４（６４４）は、下側部材５２２（６２２）の前後方向および左右方向に沿った格子状である。これに対し、凹部５５５（６５５）は、下側部材５２２（６２２）のリブ５４４（６４４）に対応するように、中間部材５２３（６２３）の前後方向および左右方向に延びた格子状の溝である。本実施形態では、図１０に示すように、第１の状態において、第１の面５５１（６５１）を下にして中間部材５２３（６２３）が下側部材５２２（６２２）の上に組み付けられる。この状態では、中間部材５２３（６２３）の第１の面５５１（６５１）側に設けられた凹部５５５（６５５）に、下側部材５２２（６２２）のリブ５４４（６４４）が嵌る。そして、中間部材５２３（６２３）の凹部５５５（６５５）の底に、下側部材５２２（６２２）のリブ５４４（６４４）の上端が当接している。
【００７４】
次に、当接面５５６（６５６）は、図１３に示すように、中間部材５２３（６２３）の第２の面５５２（６５２）側に設けられている。当接面５５６（６５６）は、第２の状態において、下側部材５２２（６２２）のリブ５４４（６４４）の上端面（突出端面）が当接可能な部位である。本実施形態では、当接面５５６（６５６）は、第１の面５５１（６５１）側に設けられた凹部５５５（６５５）の底の裏面によって構成されている。図１４は、中間部材５２３の第２の面５５２を下にして、上側部材５２１と下側部材５２２と中間部材５２３とを組み付けた状態（第２の状態）における、左側の脚５００を前後方向に縦断した断面図である。本実施形態では、図１４に示すように、第２の状態において、第２の面５５２（６５２）を下にして中間部材５２３（６２３）が下側部材５２２（６２２）の上に組み付けられる。この状態では、中間部材５２３（６２３）の第２の面５５２（６５２）側に設けられた当接面５５６（６５６）に、下側部材５２２（６２２）のリブ５４４（６４４）の上端が当接している。
【００７５】
本実施形態では、図１０に示すように、中間部材５２３（６２３）は、凹部５５５（６５５）および当接面５５６（６５６）が格子状に設けられている。このため、中間部材５２３（６２３）は、長手方向および幅の断面において凸凹を有する形状である。かかる凸凹形状は、中間部材５２３（６２３）におけるリブ５５７（６５７）として機能しうる。
【００７６】
本実施形態では、図９に示すように、中間部材５２３（６２３）には、挿通孔５５８（６５８）と、ずれ防止孔５５９（６５９）と、突起５６１（６６１）とがある。挿通孔５５８（６５８）は、ベース固定ピン５２６（６２６）が挿通される孔である。ここでは、挿通孔５５８（６５８）は、中間部材５２３（６２３）の中央部分の後よりに形成されている。挿通孔５５８（６５８）は、上側部材５２１（６２１）の挿通孔５３４（６３４）および下側部材５２２（６２２）の挿通孔５４２（６４２）と、略同じ形状をしている。ここでは、挿通孔５５８（６５８）は、ベース固定ピン５２６（６２６）の挿入部の軸方向の投影形状に対応した形状である。つまり、挿通孔５４２（６４２）は、下側部材５２２（６２２）の前後方向に延びた略長方形状であり、挿通孔５４２（６４２）の長手方向の中央部分は若干外側に広がっている。また、中間部材５２３（６２３）の挿通孔５５８（６５８）の縁には、上下にそれぞれ延びた壁５５８ａ（６５８ａ）が設けられている。
【００７７】
ずれ防止孔５５９（６５９）は、中間部材５２３（６２３）に形成され、下側部材５２２（６２２）のずれ防止軸５４３（６４３）が挿通される孔である。ここでは、ずれ防止孔５５９（６５９）は、中間部材５２３（６２３）の中央部分の前よりに形成されている。詳しくは、ずれ防止孔５５９（６５９）は、中間部材５２３（６２３）と下側部材５２２（６２２）とを組み付ける状態において、中間部材５２３（６２３）における下側部材５２２（６２２）のずれ防止軸５４３（６４３）に対応した位置に形成されている。ずれ防止孔５５９（６５９）は、略円形状である。
【００７８】
突起５６１（６６１）は、下側部材５２２（６２２）の先端に設けられた係止部５４５（６４５）の凹部５４５ａ（６４５ａ）に嵌る部位である。ここでは、下側部材５２２（６２２）の係止部５４５（６４５）は、後側の側面に凹部５４５ａ（６４５ａ）が設けられている。これに対し、突起５６１（６５１）は、中間部材５２３（６２３）の先端から前方に突出している。
【００７９】
《ベース固定ピン５２６（６２６）》
ベース固定ピン５２６（６２６）は、上側部材５２１（６２１）と、下側部材５２２（６２２）と、中間部材５２３（６２３）とを固定するための部材である。本実施形態では、ベース固定ピン５２６（６２６）は、挿通軸５７１（６７１）と、つまみ５７３（６７３）と、第１固定片５７４、５７５（６７４、６７５）と、第２固定片５７６、５７７（６７６、６７７）と、を備えている。
【００８０】
挿通軸５７１（６７１）は、円筒棒状である。つまみ５７３（６７３）は、挿通軸５７１（６７１）の一端に設けられている。第１固定片５７４、５７５（６７４、６７５）は、挿通軸５７１（６７１）の他端側の外周面から径方向の外方に延びており、互いが対向している。第１固定片５７４、５７５（６７４、６７５）は、互いが同じ形状であり、挿通軸５７１（６７１）の他端に向かうに連れて挿通軸５７１（６７１）に向かって外縁が曲がっている。第２固定片５７６、５７７（６７６、６７７）は、挿通軸５７１（６７１）の軸方向の中心部分の他端側よりに設けられ、挿通軸５７１（６７１）から径方向の外方に延びている。第２固定片５７６、５７７（６７６、６７７）は、互いが対向しており、平面視において、第１固定片５７４、５７５（６７４、６７５）と重なっている。第２固定片５７６、５７７（６７６、６７７）と第１固定片５７４、５７５（６７４、６７５）との間には、それぞれ隙間がある。ここでは、第２固定片５７６、５７７（６７６、６７７）は、四角形状である。
【００８１】
《ロック機構》
本実施形態では、脚５００（６００）は、上下に組み付けられた中間部材５２３（６２３）と下側部材５２２（６２２）とを固定するロック機構を備えている。本実施形態のロック機構では、まず、上側部材５２１（６２１）と下側部材５２２（６２２）と中間部材５２３（６２３）とを上下に組み付ける。そして、ベース固定ピン５２６（６２６）は、上側部材５２１（６２１）の挿通孔５３４（６３４）、下側部材５２２（６２２）の挿通孔５４２（６４２）および中間部材５２３（６２３）の挿通孔５５８（６５８）に挿通された状態で、上側部材５２１（６２１）と下側部材５２２（６２２）と中間部材５２３（６２３）とに係合している。詳しくは、ベース固定ピン５２６（６２６）の挿通軸５７１（６７１）は、挿通孔５３４、５４２、５５８（６３４、６４２、６５８）に挿通される。そして、ベース固定ピン５２６（６２６）は、ベース固定ピン５２６（６２６）のつまみ５７３（６７３）が下側部材５２２（６２２）に当接した状態で回転する。その後、ベース固定ピン５２６（６２６）は、ベース固定ピン５２６（６２６）の第１固定片５７４、５７５（６７４、６７５）または第２固定片５７６、５７７（６７６、６７７）が上側部材５２１（６２１）に当接することで、上側部材５２１（６２１）と下側部材５２２（６２２）とに係合する。
【００８２】
《ずれ防止機構》
また、本実施形態では、脚５００（６００）は、中間部材５２３（６２３）が下側部材５２２（６２２）に対してずれることを防止する、ずれ防止機構を備えている。本実施形態のずれ防止機構では、下側部材５２２（６２２）から上方に延びたずれ防止軸（６４３）が、中間部材５２３（６２３）に形成されたずれ防止孔５５９（６５９）に挿通されることで、ずれを防止している。
【００８３】
次に、脚５００（６００）のベース５０３（６０３）の上側部材５２１（６２１）と、下側部材５２２（６２２）と、中間部材５２３（６２３）との組み付けについて説明する。ここでは、まず、図１０に示すように、第１の状態において、第１の面５５１（６５１）を下にして中間部材５２３（６２３）を、上側部材５２１（６２１）と下側部材５２２（６２２）との間に組み付けた態様について説明する。
【００８４】
第１の状態では、中間部材５２３（６２３）は、第１の面５５１（６５１）を下にし、中間部材５２３（６２３）の先端に設けられた突起５６１（６６１）を、下側部材５２２（６２２）の先端に設けられた係止部５４５（６４５）の凹部５４５ａ（６４５ａ）に嵌める。そして、この状態において、中間部材５２３（６２３）が下側部材５２２（６２２）の上に組み付けられる。このとき、中間部材５２３（６２３）の先端は下側部材５２２（６２２）の係止部５４５（６４５）によって位置決めされる。このように先端が位置決めされた状態では、中間部材５２３（６２３）のずれ防止孔５５９（６５９）は、下側部材５２２（６２２）のずれ防止軸５４３（６４３）にスムーズに挿入される。また、中間部材５２３（６２３）の第１の面５５１（６５１）に設けられた凹部５５５（６５５）は、下側部材５２２（６２２）のリブ５４４（６４４）に嵌る。このように、中間部材５２３（６２３）は各部位が係合することによって、下側部材５２２（６２２）の所定の位置に配置されるとともに、中間部材５２３（６２３）が下側部材５２２（６２２）に対してずれることが防止される。
【００８５】
次に、中間部材５２３（６２３）が配置された下側部材５２２（６２２）に上側部材５２１（６２１）を被せる。この場合、まず、上側部材５２１（６２１）の先端に設けられた折り返し部５３５（６３５）を、下側部材５２２（６２２）の先端部に設けられた突起５４９（６４９）に引っ掛ける。次に、下側部材５２２（６２２）の縁に設けられた壁５４１（６４１）に上側部材５２１（６２１）の内側面が沿うように、上側部材５２１（６２１）を下側部材５２２（６２２）に被せる。このとき、上側部材５２１（６２１）のリブ５３２（６３２）が、中間部材５２３（６２３）の上面（第２の面５５２（６５２）側の面）に当接する。また、上側部材５２１（６２１）の挿通孔５３４（６３４）は、下側部材５２２（６２２）の挿通孔５４２（６４２）と中間部材５２３（６２３）の挿通孔５５８（６５８）とに、平面視において重なる。脚５００（６００）のベース５０３（６０３）を構成する上側部材５２１（６２１）と、下側部材５２２（６２２）と、中間部材５２３（６２３）とは、第１の状態において、このように組み付けられる。
【００８６】
そして、上側部材５２１（６２１）と、下側部材５２２（６２２）と、中間部材５２３（６２３）とは、ベース固定ピン５２６（６２６）によって一体的に固定される。ここで、ベース固定ピン５２６（６２６）は、下側部材５２２（６２２）の底側から下側部材５２２（６２２）の挿通孔５４２（６４２）に挿入される。この際、ベース固定ピン５２６（６２６）の第１固定片５７４、５７５（６７４、６７５）および第２固定片５７６、５７７（６７６、６７７）が下側部材５２２（６２２）の挿通孔５４２（６４２）に挿入される。そして、つまみ５７３（６７３）が下側部材５２２（６２２）の底面に当接したところで、ベース固定ピン５２６（６２６）を９０度回転させる。このとき、図１０に示すように、ベース固定ピン５２６（６２６）の第２固定片５７６、５７７（６７６、６７７）は、下側部材５２２（６２２）の挿通孔５４２（６４２）、中間部材５２３（６２３）の挿通孔５５８（６５８）および上側部材５２１（６２１）の挿通孔５３４（６３４）を貫通している。そして、ベース固定ピン５２６（６２６）を９０度回転させることによって、ベース固定ピン５２６（６２６）の第２固定片５７６、５７７（６７６、６７７）の端面が上側部材５２１（６２１）の固定板５３３（６３３）に当接する。このように、第１の状態において、中間部材５２３（６２３）は、第１の面５５１（６５１）を下にして組み付けられた場合には、ベース固定ピン５２６（６２６）の第２固定片５７６、５７７（６７６、６７７）によって、上側部材５２１（６２１）が下側部材５２２（６２２）および中間部材５２３（６２３）に固定されている。
【００８７】
次に、図１４に示すように、第２の状態において、第２の面５５２（６５２）を下にして中間部材５２３（６２３）を、上側部材５２１（６２１）と下側部材５２２（６２２）との間に組み付けた態様について説明する。
【００８８】
第２の状態において、中間部材５２３（６２３）は、第２の面５５２（６５２）を下にし、中間部材５２３（６２３）の先端に設けられた突起５６１（６６１）を、下側部材５２２（６２２）の先端に設けられた係止部５４５（６４５）の凹部５４５ａ（６４５ａ）に嵌める。そして、この状態において、中間部材５２３（６２３）が下側部材５２２（６２２）の上に組み付けられる。このとき、中間部材５２３（６２３）の先端は下側部材５２２（６２２）の係止部５４５（６４５）に位置決めされる。そして、中間部材５２３（６２３）のずれ防止孔５５９（６５９）は、下側部材５２２（６２２）のずれ防止軸５４３（６４３）にスムーズに挿入される。また、中間部材５２３（６２３）の第２の面５５２（６５２）に設けられた当接面５５６（６５６）は、下側部材５２２（６２２）のリブ５４４（６４４）の上端面に当り、中間部材５２３（６２３）が下側部材５２２（６２２）のリブ５４４（６４４）の上端面に乗った状態になる。このように、中間部材５２３（６２３）は、各部位が係合することによって、下側部材５２２（６２２）の所定の位置に配置されるとともに、下側部材５２２（６２２）に対してずれることが防止される。
【００８９】
次に、中間部材５２３（６２３）が配置された下側部材５２２（６２２）に上側部材５２１（６２１）を被せる。下側部材５２２（６２２）に対する上側部材５２１（６２１）の組み付けは、中間部材５２３（６２３）の第１の面５５１（６５１）を下にする場合（第１の状態）と、中間部材５２３（６２３）の第２の面５５２（６５２）を下にする場合（第２の状態）とで、基本的な工程は同じである。ただし、第２の状態では、中間部材５２３（６２３）が下側部材５２２（６２２）のリブ５４４（６４４）の上端面に乗った状態になる。このため、下側部材２２０に対して中間部材５２３（６２３）が高くなり、それに応じて、上側部材２１０が高くなる。
【００９０】
次に、組み付けられた上側部材５２１（６２１）と下側部材５２２（６２２）と中間部材５２３（６２３）とは、ベース固定ピン５２６（６２６）によって一体的に固定される。ここで、ベース固定ピン５２６（６２６）は、下側部材５２２（６２２）の底側から下側部材５２２（６２２）の挿通孔５４２（６４２）に挿入される。この際、ベース固定ピン５２６（６２６）の先端側に設けられた第１固定片５７４、５７５（６７４、６７５）は、上側部材２１０の挿通孔５３４（６３４）を貫通する。しかし、上側部材２１０が高くなっているので、ベース固定ピン５２６（６２６）の基端側に設けられた第２固定片５７６、５７７（６７６、６７７）は、上側部材２１０の挿通孔５３４（６３４）に達しない。
【００９１】
ベース固定ピン５２６（６２６）は、つまみ５７３（６７３）が下側部材５２２（６２２）の底面に当接したところで９０度回転させる。このとき、図１４に示すように、ベース固定ピン５２６（６２６）の先端側に設けられた第１固定片５７４、５７５（６７４、６７５）の端面が上側部材５２１（６２１）の固定板５３３（６３３）に当接する。このように、第２の状態において、第２の面５５２（６５２）を下にして中間部材５２３（６２３）を組み付けた場合でも、ベース固定ピン５２６（６２６）によって、上側部材５２１（６２１）、下側部材５２２（６２２）および中間部材５２３（６２３）が固定される。
【００９２】
上述したように、中間部材５２３（６２３）は、第１の面５５１（６５１）および第２の面５５２（６５２）をそれぞれ下にして、上側部材５２１（６２１）と下側部材５２２（６２２）との間に組み付けることができる。さらに、何れの場合にも、上側部材５２１（６２１）のリブ５３２（６３２）が中間部材５２３（６２３）の上面に当たる位置で上側部材５２１（６２１）の位置が定まる。
【００９３】
第１の面５５１（６５１）を下にして中間部材５２３（６２３）を組み付けた場合（第１の状態）、図１０に示すように、中間部材５２３（６２３）の凹部５５５（６５５）が下側部材５２２（６２２）のリブ５４４（６４４）に嵌る。これに対して、第２の面５５２（６５２）を下にして中間部材５２３（６２３）を組み付けた場合（第２の状態）には、図１４に示すように、中間部材５２３（６２３）の当接面５５６（６５６）が下側部材５２２（６２２）のリブ５４４（６４４）の上端面の上に乗る。
【００９４】
このため、第２の面５５２（６５２）を下にして中間部材５２３（６２３）を組み付けた場合の第２の状態に比べて、第１の面５５１（６５１）を下にして中間部材５２３（６２３）を組み付けた場合の第１の状態には、下側部材５２２（６２２）のリブ５４４（６４４）が凹部５５５（６５５）に嵌る分、上側部材５２１（６２１）が低くなる。また、本実施形態では、中間部材５２３（６２３）は、先端から後端に向かうにつれて厚くなっている。このため、第１の面５５１（６５１）を下にして中間部材５２３（６２３）を組み付けた場合（第１の状態）に比べて、第２の面５５２（６５２）を下にして中間部材５２３（６２３）を組み付けた場合（第２の状態）には、特に、上側部材５２１（６２１）の後部が高くなる。
【００９５】
つまり、中間部材５２３（６２３）を上下反転させて、上側部材５２１（６２１）と下側部材５２２（６２２）との間に組み付けることで、上側部材５２１（６２１）の後部の高さが変わる。このため、第２の面５５２（６５２）を下にして中間部材５２３（６２３）を組み付けた場合（第１の状態）には、第１の面５５１（６５１）を下にして中間部材５２３（６２３）を組み付けた場合（第２の状態）に比べて、便器本体１００の便座３０の前に傾いた状態になる。このように、本実施形態では、左右のベース５０３、６０３に組み込まれた中間部材５２３、６２３の上下の向きをそれぞれ変えることによって、便器本体１００の前傾角度を変更することができる。本実施形態では、第１の状態における一対の脚部５０１、５０２（６０１、６０２）の下端部の相対的な高さの差は、第２の状態における一対の脚部５０１、５０２（６０１、６０２）の下端部の相対的な高さの差よりも小さくなる。
【００９６】
また、本実施形態では、脚５００、６００は樹脂成形品である。ここでは、上側部材５２１（６２１）、下側部材５２２（６２２）および中間部材５２３（６２３）は、それぞれ樹脂成形品である。ベース５０３（６０３）は、所要の強度が確保されていることが好ましい。そのため、ベース５０３（６０３）を構成している上側部材５２１（６２１）、下側部材５２２（６２２）および中間部材５２３（６２３）は、剛性が高い樹脂が用いられるとよい。本実施形態では、上側部材５２１（６２１）と下側部材５２２（６２２）と中間部材５２３（６２３）とは、比較的剛性が高いＡＢＳ樹脂が用いられている。中間部材５２３（６２３）は、樹脂製以外、例えば金属製であってもよい。
【００９７】
ただし、上側部材５２１（６２１）、下側部材５２２（６２２）および中間部材５２３（６２３）にＡＢＳ樹脂を用いると、コストが高くなり、かつ、ポータブルトイレ１０が重くなってしまう。そこで、ベース５０３（６０３）に所要の強度が確保されるならば、上側部材５２１（６２１）、下側部材５２２（６２２）および中間部材５２３（６２３）のうち少なくとも一つにＡＢＳ樹脂が用いられていてもよい。例えば、上側部材５２１（６２１）にＡＢＳ樹脂が用いられ、下側部材５２２および中間部材５２３（６２３）に、ＡＢＳ樹脂よりも剛性が低いポリプロピレン等が用いられていてもよい。また、下側部材５２２（６２２）のみにＡＢＳ樹脂が用いられていてもよいし、中間部材５２３（６２３）のみにＡＢＳ樹脂が用いられていてもよい。また、上側部材５２１（６２１）および下側部材５２２（６２２）にＡＢＳ樹脂が用いられ、中間部材５２３（６２３）にポリプロピレン等が用いられてもよい。また、上側部材５２１（６２１）および中間部材５２３（６２３）、もしくは、下側部材５２２（６２２）および中間部材５２３（６２３）のみにＡＢＳ樹脂が用いられていてもよい。
【００９８】
以上のように、本実施形態では、図１に示すように、ポータブルトイレ１０は、便器本体１００と、便器本体１００の下部において右側および左側にそれぞれ設けられた脚５００、６００と、を備えている。便器本体１００と前記脚５００、６００とは、樹脂成形品である。脚５００（６００）は、便器本体１００の前後にそれぞれ配置された少なくとも一対の脚部５０１、５０２（６０１、６０２）と、一対の脚部５０１、５０２（６０１、６０２）の下端部を繋ぐように前後方向に延びたベース５０３（６０３）と、を備えている。ベース５０３（６０３）は、図９に示すように、上下に組み付けられる複数の部材を備えている。複数の部材には、一方の部材に対して他方の部材が上下に反転可能に組み付けられることが可能な第１部材５２２（６２２）と第２部材５２３（６２３）とが含まれている。そして、第１部材５２２（６２２）と第２部材５２３（６２３）とが上下に組み付けられた第１の状態（図１０参照）と、上記第１の状態に対して、第１部材５２２（６２２）と第２部材５２２（６２２）とのうち、一方の部材に対して他方の部材を上下に反転させて組み付けられた第２の状態（図１４参照）とで、ベース５０３（６０３）によって支持された一対の脚部５０１、５０２（６０１、６０２）の下端部の高さが、相対的に変更できる。
【００９９】
本実施形態では、図９に示すように、脚５００（６００）の上記複数の部材は、上側部材５２１（６２１）と、上側部材５２１（６２１）の下に組み付けられる下側部材５２２（６２２）と、上側部材５２１（６２１）と下側部材５２２（６２２）との間において、上側部材５２１（６２１）と下側部材５２２（６２２）とに上下に組み付けられる中間部材５２３（６２３）と、を備えている。中間部材５２３（６２３）は、上側部材５２１（６２１）と下側部材５２２（６２２）とに対して上下に反転可能に組み付けることができ、上側部材５２１（６２１）または下側部材５２２（６２２）を第１部材５２２（６２２）とした場合に、第２部材５２３（６２３）として機能する。ここでは、下側部材５２２（６２２）が第１部材５２２（６２２）である。
【０１００】
このことによって、中間部材５２３（６２３）を上下反転させて上側部材５２１（６２１）と下側部材５２２（６２２）との間に組み込むことによって、ベース５０３（６０３）によって支持された一対の脚部５０１、５０２（６０１、６０２）の下端部の高さが相対的に変更できる。よって、本実施形態では、使用者の好みに応じて便器本体１００を前に傾けることができる。なお、この便器本体１００を前に傾ける角度は、２度〜５度（例えば、３度）が好ましい。この角度にすることによって、使用者が便座３０に座って排便を行うとき、使用者にとって楽な姿勢となり、体の負担が軽減するような姿勢となる。
【０１０１】
また、本実施形態では、ベース５０３（６０３）は、上側部材５２１（６２１）、下側部材５２２（６２２）および中間部材５２３（６２３）を上下に組み付けたものであって、３層構造である。このことによって、ベース５０３（６０３）の強度が確保されるとともに、ベース５０３（６０３）が撓みにくくなっている。
【０１０２】
本実施形態では、下側部材５２２（６２２）と中間部材５２３（６２３）とのうち、一方の部材（下側部材５２２（６２２））が他方の部材（中間部材５２３（６２３））に組み付けられる面には、組み付けられる方向に突出したリブ５４４（６４４）が設けられている。そして、他方の部材（中間部材５２３（６２３））は、図１０に示すように、第１の状態において、一方の部材（下側部材５２２（６２２））に設けられたリブ５４４（６４４）が嵌まる凹部５５５（６５５）と、図１４に示すように、第２の状態において、一方の部材に設けられたリブ５４４（６４４）の突出端面が当接可能な当接面５５６（６５６）と、を備えている。そして、第１の状態における一対の脚部５０１、５０２（６０１、６０２）の下端部の相対的な高さの差は、第２の状態よりも小さくなる。このように、本実施形態では、リブ５４４（６４４）によって、下側部材５２２（６２２）が補強されている。よって、リブ５４４（６４４）によって、ベース５０３（６０３）が撓みにくくなっている。また、中間部材５２３（６２３）の凹部５５５（６５５）と下側部材５２２（６２２）のリブ５４４（６４４）とを嵌め合わせたり（第１の状態）、中間部材５２３（６２３）の当接面５５６（６５６）と下側部材５２２（６２２）のリブ５４４（６４４）の上端面とを当接させたり（第２の状態）する。このことによって、一対の脚部５０１、５０２（６０１、６０２）の下端部の高さを相対的に変更することができるとともに、ポータブルトイレ１０の便座３０の角度を変更することができる。よって、複雑なベース５０３（６０３）の構成にすることなく、簡単なベース５０３（６０３）の構成によって、ポータブルトイレ１０の便座３０の角度を調節することができる。
【０１０３】
また、本実施形態では、図９に示すように、下側部材５２２（６２２）に設けられたリブ５４４（６４４）は、格子状に延びている。このことによって、特に、リブ５４４（６４４）が格子状に延びた方向に対してベース５０３（６０３）が撓みにくくなっている。
【０１０４】
また、本実施形態では、下側部材５２２（６２２）に設けられたリブ５４４（６４４）は、第１部材（下側部材５２２（６２２））と第２部材（中間部材５２３（６２３））とを組み付けた状態において、ベース５０３（６０３）の前後方向と左右方向とにそれぞれ延びている。このことによって、ベース５０３（６０３）は、特に、ベース５０３（６０３）の前後方向と左右方向とに撓みにくくなっている。
【０１０５】
本実施形態では、下側部材５２２（６２２）と中間部材５２３（６２３）とは、一対の脚部５０１、５０２（６０１、６０２）に対して前後方向に延びた板状体である。下側部材５２２（６２２）と中間部材５２３（６２３）とのうち少なくとも一方は、前から後へ向かうにつれて厚くなっている。このことによって、中間部材５２３（６２３）を上下反転させて上側部材５２１（６２１）と下側部材５２２（６２２）との間に組み付けることで、便器本体１００の便座３０を適宜前に傾けることができる。よって、使用者の好みに応じて、使用者が前屈みになって容易に排便をすることができる。
【０１０６】
また、本実施形態では、脚５００（６００）は、上下に組み付けられた複数の部材を固定するロック機構を備えている。ここでは、ロック機構は、上側部材５２１（６２１）と下側部材５２２（６２２）と中間部材５２３（６２３）とが上下に組み付けられた状態で固定している。このように、上側部材５２１（６２１）と下側部材５２２（６２２）と中間部材５２３（６２３）とを固定することでベース５０３（６０３）の強度が確保される。
【０１０７】
本実施形態では、上側部材５２１（６２１）と下側部材５２２（６２２）と中間部材５２３（６２３）には、それぞれ挿通孔５３４、５４２、５５８（６３４、６４２、６５８）が形成されている。脚５００（６００）は、挿通孔５３４、５４２、５５８（６３４、６４２、６５８）に挿通される挿通軸５７１（６７１）を備えている。図１０に示すように、挿通軸５７１（６７１）は、上側部材５２１（６２１）と下側部材５２２（６２２）と中間部材５２３（６２３）とを上下に組み付け、かつ、挿通孔５３４、５４２、５５８（６３４、６４２、６５８）に貫通された状態で、上側部材５２１（６２１）と下側部材５２２（６２２）とに係合する。このことによって、工具等を使用することなく、簡単な構成でロック機構を実現することができる。
【０１０８】
また、本実施形態では、挿通軸５７１（６７１）は、図９に示すように、一端に設けられたつまみ５７３（６７３）と、他端に設けられ、挿通軸５７１（６７１）から径方向に延びた第１固定片５７４、５７５（６７４、６７５）と、を備えている。上側部材５２１（６２１）と下側部材５２２（６２２）と中間部材５２３（６２３）に形成された挿通孔５３４、５４２、５５８（６３４、６４２、６５８）は、第１固定片５７４、５７５（６７４、６７５）が形成された位置における挿通軸５７１（６７１）の外縁に沿った形状である。挿通軸５７１（６７１）は、挿通孔５３４、５４２、５５８（６３４、６４２、６５８）に挿通されてつまみ５７３（６７３）が下側部材５２２（６２２）に当接した状態で回転して、第１固定片５７４、５７５（６７４、６７５）または第２固定片５７６、５７７（６７６、６７７）が上側部材５２１（６２１）に当接することで、上側部材５２１（６２１）と下側部材５２２（６２２）とに係合する。このことによって、挿通軸５７１（６７１）を回転させることによって、上側部材５２１（６２１）と、下側部材５２２（６２２）と、中間部材５２３（６２３）とを固定することができる。よって、本実施形態では、工具等を使用することなく、ロック機構を簡単な構成で実現することができる。
【０１０９】
本実施形態では、脚５００（６００）は、肘掛本体３０２（４０２）が下側部材５２２（６２２）に対してずれることを防止する、ずれ防止機構を備えている。ここでは、ずれ防止機構は、下側部材５２２（６２２）から上方に延びた、ずれ防止軸５４３（６４３）と、中間部材５２３（６２３）に形成され、ずれ防止軸５４３（６４３）が挿通される、ずれ防止孔５５９（６５９）とを備えている。このことによって、中間部材５２３（６２３）のずれ防止孔５５９（６５９）に下側部材５２２（６２２）のずれ防止軸５４３（６４３）を挿通させることで、中間部材５２３（６２３）が下側部材５２２（６２２）に対してずれることを防止することができる。本実施形態では、ずれ防止機構を簡単な構成で実現することができる。
【０１１０】
また、本実施形態では、ベース５０３（６０３）は、一対の脚部５０１、５０２（６０１、６０２）のうち前側の脚部５０１（６０１）よりも前方に延びている。ポータブルトイレ１０を使用する使用者が便器本体１００の前部に体重を掛けて立ち上がろうとする場合、前部に荷重が掛かる。本実施形態では、ベース５０３（６０３）が前側の脚部５０１（６０１）よりも前方に延びているため、その荷重を支えることができる。よって、ポータブルトイレ１０が前方に倒れることを確実に防止することができる。
【０１１１】
以上、第１実施形態に係るポータブルトイレ１０について説明した。しかし、本発明に係るポータブルトイレは、第１実施形態に係るポータブルトイレ１０に限定されない。
【０１１２】
＜第２実施形態＞
次に、第２実施形態に係るポータブルトイレ１０Ａについて説明する。本実施形態では、ポータブルトイレ１０Ａにおける脚５００（６００）のベース５０３（６０３）は、２層構造になっている。
【０１１３】
図１５は、第２実施形態の第１の状態における左側の脚５００を縦断した断面図である。図１６は、第２実施形態の第２の状態における左側の脚５００を縦断した断面図である。  本実施形態では、図１５および図１６に示すように、ベース５０３（６０３）は、上側部材５２１（６２１）と、下側部材５２２（６２２）とを備えている。下側部材５２２（６２２）は、上側部材５２１（６２１）の下に組み付けられるものである。ここでは、下側部材５２２（６２２）は、上側部材５２１（６２１）に対して上下に反転可能に組み付けることができる。上側部材５２１（６２１）を本発明の第１部材とした場合に、下側部材５２２（６２２）は、第２部材として機能する。
【０１１４】
ここでは、上側部材５２１（６２１）には、下側部材５２２（６２２）に組み付けられる面に、組み付けられる方向に突出したリブ５３２（６３２）が設けられている。詳しくは、リブ５３２（６３２）の内側面から下方に延びている。このリブ５３２（６３２）は、前後方向および左右方向に沿った格子状となっている。
【０１１５】
下側部材５２２（６２２）は、板状の部材であり、第１実施形態の中間部材５２３（６２３）と同様の構成をしている。ここでは、下側部材５２２（６２２）の第１の面５５１（６５１）には、凹部５５５（６５５）が設けられており、第２の面５５２（６５２）には、当接面５５６（６５６）が設けられている。本実施形態では、図１５に示すように、第１の状態において、下側部材５２２（６２２）の第１の面５５１（６５１）を上にして、下側部材５２２（６２２）を上側部材５２１（６２１）に組み付けた場合、上側部材５２１（６２１）のリブ５３２（６３２）が下側部材５２２（６２２）の凹部５５５（６５５）に嵌る。
【０１１６】
一方、図１６に示すように、第２の状態において、下側部材５２２（６２２）の第２の面５５２（６５２）を上にして、上側部材５２１（６２１）と下側部材５２２（６２２）とを組み付けた場合、上側部材５２１（６２１）のリブ５３２（６３２）の突出端面が下側部材５２２（６２２）の当接面５５６（６５６）に当接する。この場合、上側部材５２１（６２１）が下側部材５２２（６２２）の上に載置される。
【０１１７】
本実施形態では、下側部材５２２（６２２）は、先端から後端に向かうに連れて厚くなっているため、下側部材５２２（６２２）を上下反転させて、下側部材５２２（６２２）を上側部材５２１（６２１）に組み付けることで、脚部５０１、５０２（６０１、６０２）の下端の高さを相対的に変更することができる。よって、本実施形態では、使用者の好みに応じて便器本体１００の便座３０を前に傾けることができる。
【０１１８】
また、本実施形態では、脚５００、６００は樹脂成形品である。ここでは、上側部材５２１（６２１）および下側部材５２２（６２２）は、それぞれ樹脂成形品である。ベース５０３（６０３）は、所要の強度が確保されていることが好ましい。そのため、ベース５０３（６０３）を構成している上側部材５２１（６２１）および下側部材５２２（６２２）は、剛性が高い樹脂が用いられるとよい。本実施形態では、上側部材５２１（６２１）と下側部材５２２（６２２）とは、比較的剛性が高いＡＢＳ樹脂が用いられている。ただし、上側部材５２１（６２１）および下側部材５２２（６２２）にＡＢＳ樹脂を用いると、コストが高くなり、かつ、ポータブルトイレ１０が重くなってしまう。そこで、ベース５０３（６０３）に所要の強度が確保されるならば、上側部材５２１（６２１）または下側部材５２２（６２２）のみにＡＢＳ樹脂が用いられていてもよい。例えば、上側部材５２１（６２１）にＡＢＳ樹脂が用いられ、下側部材５２２（６２２）に、ＡＢＳ樹脂よりも剛性が低いポリプロピレン等が用いられていてもよい。例えば、下側部材５２２（６２２）にＡＢＳ樹脂が用いられ、上側部材５２１（６２１）にポリプロピレン等が用いられてもよい。
【０１１９】
第２実施形態のポータブルトイレ１０Ａであっても、第１実施形態と同様の効果が得られる。
【０１２０】
以上、ここで提案されるポータブルトイレの一実施形態を例示したが、本発明は、特に言及されない限りにおいて、上述した実施形態に限定されるものではない。
【０１２１】
上述した第１実施形態では、ベース５０３（６０３）の上下に組み付けられた複数の部材の第１部材と第２部材のうち、下側部材５２２（６２２）が第１部材として機能し、中間部材５２３（６２３）が第２部材として機能していた。ただし、中間部材５２３（６２３）が第１部材として機能し、下側部材５２２（６２２）が第２部材として機能してもよい。この場合、中間部材５２３（６２３）には、下側部材５２２（６２２）と組み付けられる方向に突出したリブが設けられるとよい。また、下側部材５２２（６２２）は、第１の状態において、中間部材５２３（６２３）のリブが嵌まる凹部と、第２の状態において、中間部材５２３（６２３）のリブの突出端面が当接可能な当接面と、を備えているとよい。
【０１２２】
また、上述した第１実施形態において、上側部材５２１（６２１）が第１部材として機能してもよい。この場合、上側部材５２１（６２１）のリブ５３２（６３２）が、中間部材５２３（６２３）の凹部５５５（６５５）に嵌ったり、中間部材５２３（６２３）の当接面５５６（６５６）に当接したりすることによって、一対の脚部５０１、５０２（６０１、６０２）の下端部の高さが、相対的に変更できればよい。
【０１２３】
上述した第１実施形態では、ベース５０３（６０３）は、３層構造であり、第２実施形態では、ベース５０３（６０３）は、２層構造であった。しかし、ベース５０３（６０３）は、４層構造以上であってもよい。例えば、ベース５０３（６０３）は、上側部材５２１（６２１）と下側部材５２２（６２２）との間に２つの中間部材５２３（６２３）を組み付けた構造であってもよい。
【０１２４】
また、上述した実施形態では、上側部材５２１（６２１）、中間部材５２３（６２３）、下側部材５２２（６２２）は、それぞれリブが設けられている。ここでは、リブは、長さ方向および幅方向に格子状に配されている。これに対して、リブは、これらの部材の剛性を高めるために設けられており、リブの配置は、これに限定されない。リブは、長さ方向および幅方向に対して斜めに沿った格子状に配してもよい。また、リブは、例えば、各部材の長さ方向に沿って、いわゆるフィッシュボーン状に配されていてもよい。また、上述した実施形態では、上側部材５２１（６２１）、中間部材５２３（６２３）、下側部材５２２（６２２）の各部材には、リブが設けられている。しかし、これらの部材に所要の剛性を確保するという観点において、リブが設けられていなくても、これらの部材が所要の剛性を備えている場合には、各部材にリブが設けられていなくてもよい。
【０１２５】
上述した実施形態では、脚部５０１、５０２（６０１、６０２）は、ベース５０３（６０３）に対して前後に２本設けられている。しかし、ベース５０３（６０３）に対して設けられる脚部の数は２本に限定されない。例えば、ベース５０３（６０３）に対して設けられる、前後に３本以上、脚部が設けられていてもよい。
【符号の説明】
【０１２６】
１０、１０Ａ  ポータブルトイレ
２０  蓋
２１  ヒンジ
２２  蝶番
３０  便座
３１  ヒンジ
３２  便座の開口
４０  バケツ
４１  取っ手
４２  バケツ蓋
５０  トレイ
５１  トレイの開口
５４  基部
６０  トイレットペーパーホルダ
１００  便器本体
１０１  収容部
１０２  上面部
１０３  外郭部
１０４  底部
１２１〜１２４  ボス
２１１、２１２  肘掛取付部
２１３、２１４  背もたれ取付部
２１５  脱臭装置取付部
２１６  受け部
２１６ａ  排出路
２２１、２２２  窪み
２２３〜２２６  縦穴
２２７、２２８  係合溝
２３１、２３２  鍵穴
２５０  背もたれ
２５１  開口
２５２、２５３  柱部
２５４  背もたれ部
２５５  クッション
２５６、２５７  係合溝
３００、４００  肘掛
３０１、４０１  肘掛ベース
３０２、４０２  肘掛本体
３１１、４１１  基部
３１２、４１２  支柱
３１２ａ、４１２ａ  下側部
３１３、４１３  支柱
３１３ａ、４１３ａ  下側部
３１４、４１４  中空軸
３２１、４２１  係合突起
３２２、４２２  差込穴
３２３、４２３  係合片
３４１、４４１  肘掛部
３４２、３４３（４４２、４４３）  可動軸
３５０、４５０  固定ピン
５００、６００  脚
５０１、６０１  脚部
５０２、６０２  脚部
５０３、６０３  ベース
５１１、６１１  フロントベース部
５１２、６１２  リヤベース部
５１３、６１３  連結ベース部
５２１、６２１  上側部材（ベース上側部材）
５２２、６２２  下側部材（第１部材、ベース下側部材）
５２３、６２３  中間部材（第２部材）
５２４、６２４  滑り止め板
５２５、６２５  滑り止め板
５２６、６２６  ベース固定ピン
５３２、６３２  リブ
５３３、６３３  固定板
５３４、６３４  挿通孔
５４１、６４１  ガイド板
５４２、６４２  挿通孔
５４３、６４３  ずれ防止軸
５４４、６４４  リブ
５４５、６４５  係止部
５４６、６４６  キャスター
５５１、６５１  第１の面
５５２、６５２  第２の面
５５５、６５５  凹部
５５６、６５６  当接面
５５７、６５７  リブ
５５８、６５８  挿通孔
５５９、６５９  ずれ防止孔
５６１、６６１  突起
５７１、６７１  挿通軸
５７３、６７３  つまみ
５７４、５７５、６７４、６７５  第１固定片
５７６、５７７、６７６、６７７  第２固定片
７００  脱臭ダクト
７５０  脱臭装置
【図１】
2015016316.tif 000003
【図２】
2015016316.tif 000004
【図３】
2015016316.tif 000005
【図４】
2015016316.tif 000006
【図５】
2015016316.tif 000007
【図６】
2015016316.tif 000008
【図７】
2015016316.tif 000009
【図８】
2015016316.tif 000010
【図９】
2015016316.tif 000011
【図１０】
2015016316.tif 000012
【図１１】
2015016316.tif 000013
【図１２】
2015016316.tif 000014
【図１３】
2015016316.tif 000015
【図１４】
2015016316.tif 000016
【図１５】
2015016316.tif 000017
【図１６】
2015016316.tif 000018
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
便器本体と、
脚部と
を備え、
前記便器本体は、上下に組み合わされる上側部材と下側部材とを備え、
前記上側部材は、上面部と、側面部とを有し、
前記下側部材は、前記上側部材の側面部に組み合わされた側面部と、底部とを有し、
前記上側部材の側面部と前記下側部材の側面部とは、少なくとも前面および左右の側面において面が一連に連なるように組み合わされており、
前記脚部は、前記便器本体の中央部分の周りにおいて、前記便器本体の底部の前後左右に取付けられており、前記便器本体の底部から下方に延び、前記便器本体の底部を床から浮かせており、
前記脚部の下端には、複数の部材が上下に重ねて組み付けられ、
前記複数の部材のうち下側に重ねられる下側部材と、前記脚部の下端との間の、中間に組み付けられる中間部材は、前後の厚さが異なった部材であり、当該中間部材によって前記便器本体の上面部に対する前記脚部の下面の角度が可変し、前記便器本体の上面部の前傾状態が変えられる、
ポータブルトイレ。
【手続補正２】
【補正対象書類名】明細書
【補正対象項目名】０００５
【補正方法】変更
【補正の内容】
【０００５】
ここで提案されるポータブルトイレは、便器本体と、脚部とを備えている。便器本体は、上下に組み合わされる上側部材と下側部材とを備えている。上側部材は、上面部と、側面部とを有している。下側部材は、上側部材の側面部に組み合わされた側面部と、底部とを有している。上側部材の側面部と下側部材の側面部とは、少なくとも前面および左右の側面において面が一連に連なるように組み合わされている。脚部は、便器本体の中央部分の周りにおいて、便器本体の底部の前後左右に取付けられており、便器本体の底部から下方に延び、便器本体の底部を床から浮かせている。脚部の下端には、複数の部材が上下に重ねて組み付けられている。複数の部材のうち下側に重ねられる下側部材と、脚部の下端との間の、中間に組み付けられる中間部材は、前後の厚さが異なった部材である。当該中間部材によって便器本体の上面部に対する脚部の下面の角度が可変し、便器本体の上面部の前傾状態が変えられる。
【手続補正３】
【補正対象書類名】明細書
【補正対象項目名】０００６
【補正方法】削除
【補正の内容】